(57)【要約】【課題】封印シールによって封印した基板ケースを開ける際に、封印シールの破断の痕跡を容易に発見できる遊技機を提供すること。【解決手段】遊技機は、基板ケース１０が、対応する係合手段を有した底側・蓋側ケース部１６，３６を具備し、底側・蓋側ケース部の間に制御基板を収納して、対応する係合手段を係合させることにより、制御基板の周囲を囲って閉じる。蓋側ケース部には、基板ケースを開ける際に破断される封印シール６１が貼着される。封印シールの貼着エリア５９には、外側へ撓み可能な係止片部５１が、設けられ、底側ケース部には、係止片部を収納して係合解除方向への移動を規制可能な係止面３２を有した係止凹部３１が、設けられる。係止片部は、貼着エリアの両端付近まで延びる板状部５３を、備える。板状部の両縁５３ｃ，５３ｄは、貼着エリアの領域内で、貼着エリアの対向する両縁５９ｃ，５９ｄ付近に、配置される。【選択図】図１１
2010131330.tif 000002
【特許請求の範囲】
【請求項１】
対応する係合手段を有した底側ケース部及び蓋側ケース部を具備し、前記底側ケース部と前記蓋側ケース部との間に制御基板を収納して、対応する前記係合手段を係合させることにより、前記制御基板の周囲を囲って閉じる基板ケースと、
閉じた前記基板ケースに貼着されるとともに、前記基板ケースを開ける際に破断される貼着エリアに貼着される封印シールと、
を備えて構成されている遊技機であって、
前記基板ケースを閉じた際における前記貼着エリアの外表面側の前記底側ケース部若しくは前記蓋側ケース部の一方に、前記基板ケースの外側方向に撓み可能な係止片部が、設けられ、他方に、前記係止片部の少なくとも一部を収納可能に周囲の面から前記基板ケースの内側方向に凹むとともに、前記係合手段の係合解除方向への前記底側ケース部と前記蓋側ケース部との相対的な移動を規制可能に、収納した前記係止片部を係止する係止面を有した係止凹部が、設けられ、
前記係止片部が、
撓み時の回転中心となって前記貼着エリアの一方の端部付近に配置されるヒンジ部と、該ヒンジ部から前記貼着エリアの他方の端部付近まで延びる板状部と、を備えて構成されるとともに、
前記板状部における前記ヒンジ部から前記板状部の先端部までの延設方向と直交する両縁を、それぞれ、前記貼着エリアの領域内として、前記貼着エリアの相互に対向する両縁付近に、配置させていることを特徴とする遊技機。
【請求項２】
前記係止片部と前記係止凹部の周囲との少なくとも一方に、対応する前記係合手段の係合時、前記係止片部を、前記ヒンジ部を徐々に撓ませて、前記係止凹部の周囲の部位に摺動させつつ、前記係合凹部へ収納可能なテーパ面状若しくは弧面状の案内面が、形成されていることを特徴とする請求項１に記載の遊技機。
【請求項３】
前記封印シールの前記貼着エリア側の面に、前記制御基板に対応する識別情報を格納したＩＣチップ、及び、該ＩＣチップから両側に延びるアンテナ部、を備えて構成されるＩＣタグが、貼着され、
前記ＩＣタグが、
前記封印シールを前記貼着エリアに貼着させた際における前記封印シールを前記貼着エリアに重ねた方向に沿う投影状態において、前記ＩＣチップから両側に延びる前記アンテナ部の各々の先端部側を、それぞれ、前記板状部における前記ヒンジ部から先端部まで部位の両縁の片側ずつと交差する位置に配置させるように、
前記封印シールに配設されていることを特徴とする請求項１若しくは請求項２に記載の遊技機。
【請求項４】
前記底側ケース部と前記蓋側ケース部とが、それぞれ、相互に略平行に対向するように配設される対向壁部と、該対向壁部の周縁から相互に接近するように延びる側壁部と、を備えた略箱形状として構成されるとともに、対応する相互の前記係合手段の係合時と係合解除時における前記底側ケース部と前記蓋側ケース部との相対的な移動方向を、前記底側ケース部と前記蓋側ケース部との前記対向壁部に略沿うスライド方向として、構成され、
前記係止片部と前記係止凹部とが、前記底側ケース部と前記蓋側ケース部との相互に対応する前記側壁部における前記スライド方向と平行な部位に配設されていることを特徴とする請求項１乃至請求項３のいずれか１項に記載の遊技機。
【請求項５】
前記係止片部が、前記板状部の前記両縁を、前記スライド方向と略直交させるように、配設されていることを特徴とする請求項４に記載の遊技機。
【請求項６】
前記基板ケースを閉じた際における前記貼着エリアが、前記係止片部と、該係止片部の周囲の周縁部と、を備えて構成されるとともに、
前記係止片部と前記周縁部との前記基板ケースの外側面側が、略面一として、構成されていることを特徴とする請求項１乃至請求項５いずれか１項に記載の遊技機。
【請求項７】
前記係止片部と前記周縁部とが、連なって形成されて、前記底側ケース部若しくは前記蓋側ケース部の一方に一体的に形成されていることを特徴とする請求項６に記載の遊技機。
【請求項８】
前記係止片部の前記ヒンジ部が、前記板状部における前記先端部側の前記基板ケースの外側方向への強制的な引き起こし時において、前記係止片部における前記係止凹部の係止面に係止される部位を、前記係止面の係止領域から隙間を開けて離脱させる際に、破断若しくは塑性変形するように構成されていることを特徴とする請求項１乃至請求項７のいずれか１項に記載の遊技機。
【請求項９】
前記係止凹部を設けた前記底側ケース部若しくは前記蓋側ケース部が、前記係止凹部の周囲に、対応する相互の前記係合手段の係合直前における前記底側ケース部と前記蓋側ケース部とを合わせた際に、前記係止片部を収納可能な収納凹部を備え、
前記案内面が、前記係止片部、若しくは、前記収納凹部の前記係止凹部側の縁、の少なくとも一方に、形成されていることを特徴とする請求項４乃至請求項８のいずれか１項に記載の遊技機。
【請求項１０】
前記底側ケース部と前記蓋側ケース部とに設けられる前記係止片部と前記係止凹部とが、前記底側ケース部と前記蓋側ケース部とのそれぞれの前記対向壁部を間にした前記側壁部の対向する部位の二箇所に、形成されていることを特徴とする請求項４乃至請求項９のいずれか１項に記載の遊技機。
【発明の詳細な説明】
【技術分野】
【０００１】
本発明は、制御基板を収納し、かつ、封印シールによって封印された基板ケースを、備えたパチンコ遊技機やスロットマシン等の遊技機に関する。
【背景技術】
【０００２】
従来、この種の遊技機では、制御基板を収納した基板ケースを開けた際の痕跡を容易に把握できるように、基板ケースに封印シールを貼着することが行われていた（例えば、特許文献１参照）。基板ケースは、対応する係合手段を有した底側ケース部及び蓋側ケース部を具備して構成されて、底側ケース部と蓋側ケース部との間に制御基板を収納して、対応する係合手段を係合させることにより、制御基板の周囲を囲って閉じる構成としていた。
【０００３】
なお、従来の封印シールは、基板ケースの貼着エリアに貼着される略長方形状として、可撓性を有して粘着剤を塗布したシート状のベースにおける基板ケースへの貼着面側に、ＩＣタグを設けて構成されていた。ベースは、部分的に多数のスリットや薄肉部を設けて、破れ易く構成されていた。ＩＣタグは、制御基板のＲＯＭ等の識別情報を格納したＩＣチップと、ＩＣチップから相互に逆方向となって両側に延びるアンテナ部と、を有して構成されるとともに、ＩＣチップから両側に延びるアンテナ部の延びる方向を封印シールの長手方向に略沿う方向に（詳しくは、長方形状のベースの対角方向における二つの角を結ぶように）配置させていた。そして、基板ケースの貼着エリアは、基板ケースを開ける際の底側ケース部と蓋側ケース部との相互に分離する部位であって、封印シールを底側ケース部と蓋側ケース部とに跨がせて貼着できるように、設定されていた。
【０００４】
このような遊技機では、制御基板を収納しかつ封印シールを貼着させた基板ケースを開ける際、底側ケース部と蓋側ケース部との分離に伴って封印シールが破断する、あるいは、封印シールを剥がそうとしても破断する事態を招き易い。
そして、封印シールが破断すれば、その後に貼り直しても、破断した痕跡により、基板ケースを開けたことが容易に把握できることとなる。
【０００５】
なお、基板ケースを開ける行為は、制御基板のＲＯＭ（ＣＰＵとＲＯＭとが１チップ化されている場合もある）を交換して遊技内容を変更したり、リード線等を利用して外部から不正な電気信号を入力させたりする等、の不正行為につながるものであって、基板ケースが開けられたことを容易に把握できれば、それらの不正を迅速に発見できることとなる。
【特許文献１】特開２００６−３２６２８１号公報
【発明の開示】
【発明が解決しようとする課題】
【０００６】
しかし、従来の遊技機では、封印シールが、底側ケース部と蓋側ケース部との分離部位において、底側ケース部と蓋側ケース部とに跨って貼着されているものの、略半分ずつを底側ケース部と蓋側ケース部との貼着エリアに貼着させていた。そのため、例えば、封印シールにおける底側ケース部と蓋側ケース部との境界部位に、カッタ等を利用して、切目を入れ、封印シールを半分ずつに分断するように破断すれば、基板ケースを開けることとができてしまう。そして、このような破断は、封印シールに一箇所設けるだけで、良く、その後に、貼り直した場合、破断部位が一箇所であって、破断の痕跡を容易に発見できない虞れが生じ、改善の余地があった。
【０００７】
本発明は、上述の課題を解決するものであり、封印シールによって封印した基板ケースを開ける際に、封印シールの破断の痕跡を容易に発見できる遊技機を提供することを目的とする。
【課題を解決するための手段】
【０００８】
本発明に係る遊技機は、対応する係合手段を有した底側ケース部及び蓋側ケース部を具備し、底側ケース部と蓋側ケース部との間に制御基板を収納して、対応する係合手段を係合させることにより、制御基板の周囲を囲って閉じる基板ケースと、
閉じた基板ケースに貼着されるとともに、基板ケースを開ける際に破断される貼着エリアに貼着される封印シールと、
を備えて構成されている遊技機であって、
基板ケースを閉じた際における貼着エリアの外表面側の底側ケース部若しくは蓋側ケース部の一方に、基板ケースの外側方向に撓み可能な係止片部が、設けられ、他方に、係止片部の少なくとも一部を収納可能に周囲の面から基板ケースの内側方向に凹むとともに、係合手段の係合解除方向への底側ケース部と蓋側ケース部との相対的な移動を規制可能に、収納した係止片部を係止する係止面を有した係止凹部が、設けられ、
係止片部が、
撓み時の回転中心となって貼着エリアの一方の端部付近に配置されるヒンジ部と、ヒンジ部から貼着エリアの他方の端部付近まで延びる板状部と、を備えて構成されるとともに、
板状部におけるヒンジ部から板状部の先端部までの延設方向と直交する両縁を、それぞれ、貼着エリアの領域内として、貼着エリアの相互に対向する両縁付近に、配置させていることを特徴とする。
【０００９】
本発明に係る遊技機では、制御基板を収納し、かつ、封印シールを所定の貼着エリアに貼着した基板ケースを、開ける際には、係止片部の板状部を基本ケースの外側方向に引き起こして、係止凹部の係止面から係止片部の係止部位を離脱させ、そして、係合解除方向に沿って、底側ケース部と蓋側ケース部とを相対移動させることとなる。
【００１０】
その際、封印シールを剥さない状態としていれば、係止片部の板状部が、その両縁を、貼着エリアの領域内として、貼着エリアの相互に対向する両縁付近に配設させているため、板状部の引き起こしに伴い、その板状部の両縁が、それぞれ、封印シールを破断することとなって、封印シールは、二箇所の部位で破断される。そのため、基板ケースを開けた後に閉じて、破断した封印シールを貼り直しても、破断された二箇所の部位を奇麗に貼り直すことは難しく、破断の痕跡が現れて、封印シールの破断を発見し易い。
【００１１】
また、基板ケースを開ける際、予め封印シールを剥がし、係合解除方向に沿って、底側ケース部と蓋側ケース部とを相対移動させる場合でも、封印シールは、係合解除方向への移動時に板状部の両縁に引張られないように、剥がす側の角付近から、引き起こす係止片部の少なくとも板状部の全域のエリアを越えて、剥がす必要がある。その際、板状部は、貼着エリアの対向する両端部間で、かつ、貼着エリアにおける両端部を結ぶ方向と直交する方向の両縁間に、配設されており、貼着エリアにおける中央付近から略外周縁付近までの貼着エリアの広い面積を占めて、配設されている。そのため、貼着エリアの半分程度を剥がすだけでは、基板ケースを開けることができず、剥がす側の角付近から従来の略半分の面積の越えた広い面積として、封印シールを剥がす必要があり、封印シールを破断させる機会が増えて、封印シールを二箇所以上で破断させる事態を招き易い。その結果、封印シールを予め剥がすこととしても、封印シールが二箇所以上で破断され、基板ケースを開けた後に閉じて、破断した封印シールを貼り直しても、破断された二箇所の部位を奇麗に貼り直すことは難しく、破断の痕跡が現れて、封印シールの破断を発見し易い。
【００１２】
したがって、本発明に係る遊技機では、封印シールによって封印した基板ケースを開ける際に、封印シールが二箇所以上で破断され易く、その後に封印シールを貼り直しても、封印シールの破断の痕跡を容易に発見できることとなる。
【００１３】
そして、係止片部と係止凹部の周囲との少なくとも一方には、対応する係合手段の係合時、係止片部を、ヒンジ部を徐々に撓ませて、係止凹部の周囲の部位に摺動させつつ、係合凹部へ収納可能なテーパ面状若しくは弧面状の案内面を、形成することが望ましい。このような構成では、相互の係合手段を係合させる際における底側ケース部と蓋側ケース部との相対移動時、係止片部が、案内面を利用して、ヒンジ部を回転中心として徐々に撓んで、係止凹部の周囲を摺動し、そして、係止凹部の位置に配置されれば、ばね弾性的に復元するように、係止凹部に嵌め込まれる。そのため、係止片部の係止凹部への嵌合が、相互の係合手段を係合させるように基板ケースを閉じる際に、別途、係止片部を治具等を使用して撓ませることなく、手間無く行え、係止片部や係止凹部を備えていても、簡便に、基板ケースを閉じることができる。
【００１４】
そして、封印シールの貼着エリア側の面には、制御基板に対応する識別情報を格納したＩＣチップ、及び、ＩＣチップから両側に延びるアンテナ部、を備えて構成されるＩＣタグを、貼着してもよく、このＩＣタグは、封印シールを貼着エリアに貼着させた際における封印シールを貼着エリアに重ねた方向に沿う投影状態において、ＩＣチップから両側に延びるアンテナ部の各々の先端部側を、それぞれ、板状部におけるヒンジ部から先端部まで部位の両縁の片側ずつと交差する位置に配置させるように、封印シールに配設することが望ましい。
【００１５】
このような構成では、封印した基板ケースを開ける際、封印シールを剥さない状態としていれば、係止片部の板状部を基本ケースの外側方向に引き起こす際、ＩＣチップから両側に延びるアンテナ部の各々の先端部側が、それぞれ、係止片部の板状部の両縁の片側ずつと交差する位置に配置されており、アンテナ部を二箇所で分断させることができる。そして、ＩＣタグのアンテナ部が二箇所で分断されれば、開けた基板ケースを閉じて、剥がした封印シールを貼り直しても、分断された二箇所の部位が共に識別情報を発信可能に接触する事態を招く虞れは殆ど無い。その結果、封印シールを剥がして基板ケースを開けようとしても、ＩＣタグは、識別情報を発信できるように復元することが殆ど不可能に分断されることとなり、その結果、ＩＣタグの識別情報の発信不能状態から、基板ケースが不正に開けられたことを発見できる。
【００１６】
勿論、予め、ＩＣタグを貼着した封印シールを剥がして、基板ケースを開けることとしても、剥がす側の角付近から従来の略半分の面積の越えた広い面積として、封印シールを剥がす必要があり、封印シールを破断させる機会が増え、さらに、二つのアンテナ部を含んだエリアを剥がす必要が生じて、二つのアンテナ部がそれぞれ分断される機会も増す。そのため、上記のような構成では、封印シールを予め剥がすこととなっても、封印シールを二箇所以上で破断させる事態を招いて、アンテナ部を二箇所以上で分断させる事態を招き易い。そして、ＩＣタグのアンテナ部が二箇所以上で分断されれば、開けた基板ケースを閉じて、剥がした封印シールを貼り直しても、分断された二箇所以上の部位が全て識別情報を発信可能に接触する事態を招く虞れは殆ど無い。その結果、封印シールを剥がして基板ケースを開けようとしても、ＩＣタグは、識別情報を発信できるように復元することが殆ど不可能となるように、分断されることとなって、基板ケースが不正に開けられたことを容易に発見できる。
【００１７】
そして、本発明に係る遊技機において、底側ケース部と蓋側ケース部とが、それぞれ、相互に略平行に対向するように配設される対向壁部と、対向壁部の周縁から相互に接近するように延びる側壁部と、を備えた略箱形状として構成される場合には、対応する相互の係合手段の係合時と係合解除時における底側ケース部と蓋側ケース部との相対的な移動方向は、底側ケース部と蓋側ケース部との対向壁部と略直交する方向（底側ケース部と蓋側ケース部との重ね方向とする）としてもよいし、あるいは、底側ケース部と蓋側ケース部との対向壁部に略沿うスライド方向として、構成してもよい。ちなみに、底側ケース部と蓋側ケース部とを重ね方向に沿って係合若しくは係合解除する場合には、係止片部を、側壁部の周方向に沿った任意の位置に設けることができる。但し、底側ケース部と蓋側ケース部とをスライド方向に沿って係合若しくは係合解除する場合には、係止片部と係止凹部とは、底側ケース部と蓋側ケース部との相互に対応する側壁部におけるスライド方向と平行な部位に配設することとなる。
【００１８】
そして、底側ケース部と蓋側ケース部とをスライド方向に沿って係合若しくは係合解除する場合では、通常、強固な係合手段（例えば、スライド方向に沿って突出する閂状の突起とこの突起を嵌挿させる嵌挿孔とを設けた閂構造）は、基板ケースのスライド方向に沿った端部側に配設されることとなり、係止片部、換言すれば、封印シールを貼着する貼着エリア、は、基板ケースにおけるスライド方向に沿った端部側の係合手段から離れて、目視し易い側壁部の中央付近に、配置させることができ、封印シールの破断の痕跡を発見し易くなる。
【００１９】
この場合、係止片部が、板状部の両縁を、スライド方向と略直交させるように、配設されていれば、板状部の両縁によって封印シールが破断された際、その破断線が、スライド方向と直交する方向で、離れて二本並設されることとなって、貼着エリアが、係止片部におけるヒンジ部から先端部に向かう延設方向に沿った寸法を小さくしていても、容易に、封印シールの破断の痕跡を発見可能となる。
【００２０】
また、本発明に係る遊技機では、封印シールを、係止片部の板状部の両縁を越えて、貼着させることから、封印シールの貼着エリアは、係止片部と、係止片部の周囲の周縁部と、を備えて構成されることとなり、その際、係止片部と周縁部との基板ケースの外側面側を、略面一として、構成すれば、封印シールを、容易に皺を無くして略面一の貼着エリアに貼着でき、破断個所があれば、その破断個所を一層容易に発見できることとなる。
【００２１】
この場合、係止片部と周縁部とは、底側ケース部若しくは蓋側ケース部の一方に一体的に形成されていることが望ましい。すなわち、係止片部と周縁部との少なくとも一部相互が、底側ケース部と蓋側ケース部とに別々に形成されていれば、底側ケース部と蓋側ケース部との組付誤差により、係止片部と周縁部との基板ケースの外側面側の奇麗な面一状態を、確保し難い。これに対し、係止片部と周縁部とは、底側ケース部若しくは蓋側ケース部の一方に一体的に形成されていれば、底側ケース部と蓋側ケース部との組付誤差の影響が無く、段差を生じさせずに、係止片部と周縁部との基板ケースの外側面側の奇麗な面一状態を、確保し易く、一層容易に、封印シールを皺無く貼着できる。
【００２２】
また、係止片部のヒンジ部は、板状部における先端部側の基板ケース外側方向への強制的な引き起こし時において、係止片部における係止凹部の係止面に係止される部位を、係止面の係止領域から隙間を開けて離脱させる際に、破断若しくは塑性変形するように構成することが望ましい。このような構成では、基板ケースを開けるように、係止片部の板状部を、係止面との間に隙間を開けて大きく引き起こせば、係止片部のヒンジ部が、破断若しくは塑性変形し、その後に封印シールを貼り直しても、ヒンジ部が破断若しくは塑性変形していれば、板状部が出っ張ったり凹んだりして、封印シールが出っ張る等の状態となることから、封印シールの外形によって、係止片部が引き起こされて基板ケースを不正に開けられたことを、容易に発見できる。
【００２３】
なお、このヒンジ部の破断や塑性変形は、板状部の基板ケース外側方向への強制的な引き起こし時において、係止片部における係止凹部の係止面に係止される部位を、係止面の係止領域から隙間を開けて離脱させた際に、発生するように設定するものである。そのため、基板ケースを閉じる際の組付作業時において、係止片部が係止凹部の周囲を摺動しつつ係止凹部に嵌め込まれる場合には、係止片部が、係止凹部の係止領域から隙間をあけて離脱するように、大きく撓まないことから、ヒンジ部の破断や塑性変形を防止可能となる。
【００２４】
さらに、底側ケース部と蓋側ケース部とをスライド方向に沿って係合若しくは係合解除する場合、係止凹部を設けた底側ケース部若しくは蓋側ケース部には、係止凹部の周囲に、対応する相互の係合手段の係合直前における底側ケース部と蓋側ケース部とを合わせた際に、係止片部を収納可能な収納凹部を設け、そして、係止片部の撓みを案内する案内面は、係止片部、若しくは、収納凹部の係止凹部側の縁、の少なくとも一方に、形成することが望ましい。このような構成では、制御基板を収納して基板ケースを閉じる際、収納凹部に係止片部を収納させるように、対応する相互の係合手段の係合直前における底側ケース部と蓋側ケース部とを合わせても、係止片部を、変形させることなく、円滑に収納凹部に収納でき、そしてその後、単に、相互の係合手段を係合させるように、スライド方向に沿って相対移動させれば、係止片部が、案内面を利用して、ヒンジ部を回転中心として徐々に撓んで、収納凹部を乗り越えて係止凹部の周囲を摺動し、そして、係止凹部の位置に配置されれば、ばね弾性的に復元するように、係止凹部に嵌め込まれることとなる。すなわち、このような構成では、底側ケース部と蓋側ケース部とをスライド方向に沿って係合させる際に、基板ケースが係止片部と係止凹部とを備えていても、基板ケースを、外れた状態から円滑に閉じることができる。
【００２５】
さらにまた、底側ケース部と蓋側ケース部とに設けられる係止片部と係止凹部とは、底側ケース部と蓋側ケース部とのそれぞれの対向壁部を間にした側壁部の対向する部位の二箇所に、形成することが望ましい。このように構成されていれば、二箇所の係止片部を引き起こさなければ、基板ケースを開けることができず、係止片部やその近傍に、引き起こし時の痕跡が残り易く、そのような痕跡によって、係止片部が引き起こされて基板ケースを不正に開けられたことを、一層、容易に発見できる。
【発明を実施するための最良の形態】
【００２６】
以下、本発明の一実施形態を図面に基づいて説明すると、図１に示すように、実施形態の遊技機は、パチンコ遊技機１であって、遊技盤２の裏面（背面）に、制御基板（主制御基板）８（図２参照）を覆った基板ケース（主基板ケース）１０が配設されている。
【００２７】
なお、実施形態での上下と左右の各方向は、図１に示す遊技盤２の裏面側を基準とし、また、前後の方向は、遊技盤２の裏面側を後方側とし、遊技盤２の表面側（遊技領域側）を前方側とする。
【００２８】
基板ケース１０は、軸方向を左右方向に沿わせて盤裏カバー３に配設された二本の取付軸５，５に対して、断面Ｕ字状の取付フック２３を下方側から引っ掛けて、左縁１０ｃ側を、後方側（遊技機１の後方側であって図１に示す紙面の表側）に移動しないように、図示しない押え爪片に係止させて、配設されている。なお、基板ケース１０は、図示しない押え爪片の係止を解除させて下縁１０ｂを後方側に引けば、取付軸５回りで後方回転させて取り外すことができて、基板ケース１０によって隠れていた電動チューリップの電磁ソレノイド等のメンテナンスを行うことができる。そして、取付軸５や図示しない押え爪片によって盤裏カバー３に取り付けられた基板ケース１０は、上縁１０ａ側に位置する各種のリード線を結線させた複数のターミナル部８ａを設けた部位を、盤裏カバー３の開閉可能な蓋部４の下縁に覆わせて、配設されることとなる。また、基板ケース１０が覆っている制御基板８は、ＣＰＵ、パチンコ遊技機１の遊技プログラムを記憶したＲＯＭや、遊技の進行に応じた遊技球の払い出し等の必要なデータを記憶するＲＡＭ、各種機器との連絡をとるポート、各種抽選の際に用いられる乱数発生器、時間計数や同期を図る場合などに使用されるクロックパルス発生回路等を備えて構成されている。なお、基板ケース１０は、制御基板８にリード線を結線させるターミナル部８ａ，８ｂを配設させる複数の貫通孔１０ｄ（図１参照）、ＲＡＭ消去スイッチの貫通孔１０ｅ、後述するかしめ機構部１４等を備えているが、これらは公知の機構であり、図１，２に適宜記載するほか、他の図３以降では、これらの機構は省略する。
【００２９】
基板ケース１０は、図２〜４，７〜９に示すように、係止片部５１をばね弾性的に撓み可能として、透明なポリカーボネート等の合成樹脂から形成されるとともに、底側ケース部１６と蓋側ケース部３６との二部品から構成されている。そして、基板ケース１０は、遊技盤２側の底側ケース部１６と遊技盤２から離れた側の蓋側ケース部３６との間に、制御基板８を収納して、対応する係合手段１１，１２，１３相互を係合させることにより、制御基板８の周囲を囲って閉じる構成としている。さらに、基板ケース１０は、第１〜３の係合手段１１，１２，１３の他に、かしめ機構部１４（図１参照）を備えて構成されている。かしめ機構部１４は、基板ケース１０を閉じた状態で蓋側ケース部３６側から所定のロックピン（図符号省略）を底側ケース部１６側の図示しないロック穴に挿入させて、開きを強固に規制して、破壊しないと開けることができない機構としている。
【００３０】
底側ケース部１６と蓋側ケース部３６とは、それぞれ、相互に前後で略平行に対向するように配設される対向壁部１７，３７と、対向壁部１７，３７の周縁から相互に接近するように延びる略筒形状の側壁部１８，３８と、を備えた略箱形状として構成されている。対向壁部１７，３７は、左右方向に沿って長辺側を配置させた略長方形板状としている。そして、実施形態の場合、対応する相互の係合手段１１，１２，１３の係合時と係合解除時における底側ケース部１６と蓋側ケース部３６との相対的な移動方向は、底側ケース部１６と蓋側ケース部３６との対向壁部１７，３７に沿うスライド方向であって、さらに、遊技盤２の左右方向に沿う方向としている。
【００３１】
底側ケース部１６の側壁部１８は、上下で対向する上壁部１９と下壁部２０、及び、左右で対向する左壁部２１と右壁部２２、を備えて構成されている。同様に、蓋側ケース部３６の側壁部３８も、上下で対向する上壁部３９と下壁部４０、及び、左右で対向する左壁部４１と右壁部４２、を備えて構成されている。そして、底側ケース部１６と蓋側ケース部３６との第１の係合手段１１（図４，１０のＣ参照）と第３の係合手段１３（図４，１１のＢ参照）とは、上壁部１９，３９相互と、下壁部２０，４０相互とに、それぞれ、形成され、第２の係合手段１２（図４，９参照）は、右壁部２２，４２相互に形成されている。
【００３２】
第１の係合手段１１は、図４，１０に示すように、上壁部１９，３９相互と、下壁部２０，４０相互とに、それぞれ、三箇所ずつ形成されている。具体的には、底側ケース部１６側の上壁部１９と下壁部２０とに、端面１９ａ，２０ａ側から前方に向かうとともに右方側に向かう挿入溝２５を設けられて、元部２４ａから先端部２４ｂを左方に延びる形状の係止フック部２４が形成され、蓋側ケース部３６側の上壁部３９と下壁部４０とに、挿入溝２５に挿入されて係止フック部２４に係止される係止ピン４４が形成されて、係止フック部２４と係止ピン４４とによって、第１の係合手段１１が、構成されている。
【００３３】
また、蓋側ケース部３６側の上壁部３９と下壁部４０とには、端面に、底側ケース部１６の上壁部１９と下壁部２０との端面１９ａ，２０ａ（図４参照）側を挿入させる凹溝３９ａ，４０ａが形成され（図７参照）、凹溝３９ａ，４０ａの内周面を部分的に上下で連結するようにして、係止ピン４４が形成されている（図８，１０参照）。そして、凹溝３９ａ，４０ａは、底側ケース部１６と蓋側ケース部３６との相互の係合と係合解除とのスライド方向（左右方向）への移動時（スライド移動時）、底面３９ｂ，４０ｂに底側ケース部１６の上壁部１９と下壁部２０との端面１９ａ，２０ａを摺動させている。すなわち、蓋側ケース部３６の各係止ピン４４を、対応する挿入溝２５の開口２５ａから挿入溝２５内に挿入させて、底側ケース部１６の上壁部１９と下壁部２０との端面１９ａ，２０ａを凹溝３９ａ，４０ａの底面３９ｂ，４０ｂに当てて、蓋側ケース部３６を右方側にスライド移動させて、蓋側ケース部３６の右壁部４２の外側面４２ａを底側ケース部１６の右壁部２２の内側面２２ａに当接させれば（図９参照）、各係止ピン４４を、対応する係止フック部２４に係止させることができる。そして、この第１の係合手段１１の係合完了時には、各係止ピン４４が対応する係止フック部２４の前面側の係止面２４ｃに係止されて、蓋側ケース部３６の底側ケース部１６から後方側へ外れる移動が規制されることとなる（図１０のＣ参照）。
【００３４】
なお、蓋側ケース部３６を右方側にスライド移動させて、蓋側ケース部３６の右壁部４２の外側面４２ａを底側ケース部１６の右壁部２２の内側面２２ａに当接させる際には、図９に示すように、蓋側ケース部３６の左壁部４１の内側面４１ａも、底側ケース部１６の左壁部２１の外側面２１ａに当接して、蓋側ケース部３６の右壁部４２の外側面４２ａにおける底側ケース部１６の右壁部２２の内側面２２ａへの当接とともに、係合手段１１の係合時のスライド移動が規制されて、係合完了となる。ちなみに、実施形態では、蓋側ケース部３６の配置状態として、係止ピン４４が挿入溝２５の開口２５ａから外れて、基板ケース１０を開けている状態を外れ位置への配置状態とし、そして、係止ピン４４を、その外れ状態から、開口２５ａを経て、挿入溝２５内に挿入させて、底側ケース部１６の上壁部１９と下壁部２０との端面１９ａ，２０ａを、凹溝３９ａ，４０ａの底面３９ｂ，４０ｂに当てた配置を、係合開始位置ＳＰとし、その後、蓋側ケース部３６を右方側にスライド移動させて、蓋側ケース部３６の右壁部４２の外側面４２ａを右壁部２２の内側面２２ａに当接させ、左壁部４１の内側面４１ａを左壁部２１の外側面２１ａに当接させて、係止ピン４４を対応する係止フック部２４に係止させた位置を、係合完了位置ＲＰとして、説明する。
【００３５】
そして、実施形態の場合、蓋側ケース部３６が係合完了位置ＲＰに配置される際には、第３の係合手段１３としてのストッパ機構を構成する凹凸部２９，４９が、相互に嵌合されて、係合解除方向（左方向）への移動を規制することとなる（図４，１１参照）。なお、これらの凹凸部２９，４９は、上壁部１９，３０相互と下壁部２０，４０相互との対向する面相互に形成されており、強い力で、蓋側ケース部３６を係合解除方向へ移動させれば、嵌合を解除できるように設定されている。
【００３６】
また、実施形態の場合、蓋側ケース部３６を係合開始位置ＳＰから係合完了位置ＲＰまで右方向にスライド移動させる際、図９に示すように、第２の係合手段１２としての閂構造を構成する閂状突起４７が嵌挿孔２７に嵌挿されて、蓋側ケース部３６の底側ケース部１６から後方側へ外れる移動が規制されることとなる。閂状突起４７は、蓋側ケース部３６の右壁部４２から右方側に突設され、嵌挿孔２７は、底側ケース部１６の右壁部２２に形成されている。そして、蓋側ケース部３６の係合開始位置ＳＰへの配置時、閂状突起４７の先端部４７ａが、嵌挿孔２７の左方側に配置され、蓋側ケース部３６の係合完了位置ＲＰへの配置時、閂状突起４７は、元部４７ｂ付近を嵌挿孔２７の部位に配置させて、先端部４７ａを嵌挿孔２７から右方側に突出させることとなる。
【００３７】
そして、実施形態の基板ケース１０には、図４，１０のＡに示すように、封印シール６１を貼着する貼着エリア５９が、左右方向に沿って長辺側を配置させた略長方形状のエリアとして、蓋側ケース部３６の下壁部４０の外表面（外側面）４０ｃにおける左右方向の中央４０ｃｃ付近に、配置されている。
【００３８】
封印シール６１は、貼着エリア５９に貼着される貼着エリア５９と同形の略長方形状として、図５，６に示すように、可撓性を有して粘着剤６３を塗布したシート状のベース６２における基板ケース１０への貼着面側に、ＩＣタグ６５を設けて構成されている。ベース６２には、部分的に図示しない多数のスリットや薄肉部が設けられて、破れ易く構成されている。さらに、ベース６２の外周縁は、剥がす際に、凹んだ隅部６２ａに応力集中が生じて、封印シール６１を破断させ易いように、連続的な凹凸を設けて構成されている。ＩＣタグ６５は、制御基板８のＲＯＭ等の識別情報を格納したＩＣチップ６６と、ＩＣチップ６６から相互に逆方向となって両側に延びるアンテナ部６７，６８と、を有して構成されている。アンテナ部６７，６８は、ＩＣチップ６６から両側に延びる方向を、封印シール６１の長手方向に略沿う方向におけるベース６２の対角方向の二つの角６１ａ，６１ｂを結ぶように、配置されている。このＩＣタグ６５は、所定の読取装置を近づければ、アンテナ部６７，６８による電磁誘導によって発生した起電力により、ＩＣチップ６６に格納された識別情報が、アンテナ部６７，６８から発信されて、読取装置によって読み取ることができる。
【００３９】
そして、下壁部４０の貼着エリア５９には、係止片部５１と、その周囲の周縁部５６と、が配設されている（図１０のＡ参照）。周縁部５６は、係止片部５１の左右両側のスリット５０を間にして、係止片部５１の左右両側における左側部５６ａと右側部５６ｂ、さらに、係止片部５１の後方側の後側部５６ｃと、を備えて、係止片部５１を逆Ｕ字状に囲むように、配置されている。実施形態の場合、係止片部５１と周縁部５６とは、下壁部４０に一体的に形成されるとともに、下壁部４０の外表面４０ｃ側で、スリット５０の部位を除いて、面一となるように、形成されている。
【００４０】
係止片部５１は、図１２に示すように、基板ケース１０の外側方向、実施形態の場合には、下方側に撓み可能に構成されている。すなわち、係止片部５１は、撓み時の回転中心となって、貼着エリア５９の一方の端部（実施形態の場合には、後端部）５９ａ付近に配置されるヒンジ部５２と、ヒンジ部５２から貼着エリア５９の他方の端部（実施形態の場合には、前端部）５９ｂ付近まで延びる板状部５３と、を備えて構成されている。ヒンジ部５２は、左右方向に沿うように略半円状の凹部を設けらて、薄肉に形成されている。
【００４１】
板状部５３は、図１０に示すように、ヒンジ部５２側の元部５３ｂから先端部５３ａまでの延設方向と直交する両縁の左縁５３ｃと右縁５３ｄとを、それぞれ、貼着エリア５９の領域内として、貼着エリア５９の相互に対向する両縁の左縁５９ｃ付近と右縁５９ｄ付近とに、配置させている。板状部５３の先端部５３ａは、対向壁部３７から突出する高さＨ（図１０のＡ参照）を、下壁部４０の端面４０ｄと一致するように、設定されている。さらに、板状部５３は、図１１に示すように、基板ケース１０の内側面側を、左方側から右方側にかけて、外側方向に拡開するように傾斜して形成して、後述する収納凹部３４の右縁３４ａを乗り越え易くするテーパ状の案内面５４としている。
【００４２】
そして、実施形態の場合、ＩＣタグ６５は、封印シール６１を貼着エリア５９に貼着させた際における封印シール６１を貼着エリア５９に重ねた方向に沿う投影状態において、ＩＣチップ６６から両側に延びるアンテナ部６７，６８の各々の先端部６７ａ，６８ａ側を、それぞれ、板状部５３の片側ずつの左縁５３ｃと右縁５３ｄとに交差する位置に、配置させるように、封印シール６１に配設されている（図１０，１３参照）。
【００４３】
そして、蓋側ケース部３６を係合完了位置ＲＰに配置させて基板ケース１０を閉じた際、係止片部５１に対して基板ケース１０の内側方向で対向する底側ケース部１６の下壁部２０には、係止片部５１の少なくとも一部を収納可能に、周囲の外表面２０ｂから基板ケース１０の内側方向に凹んだ係止凹部３１が形成されている（図１０，１１参照）。実施形態の場合には、係止凹部３１は、係止片部５１を収納した際、係止片部５１と周縁部５６との外側面側を面一とするように、底面３１ａを傾斜させて設定されている。そして、係止凹部３１は、係止片部５１の板状部５３の左縁５３ｃ側の略半分、すなわち、板状部５３の内側面となる案内面５４の左縁５４ａ側を嵌合させて収納できるように、設定されている。そして、この係止凹部３１の内周面の左側面が、係合手段１１，１２，１３の係合解除方向（左方向）への蓋側ケース部３６のスライド移動を規制可能に、係止片部５１の板状部５３の左側面５３ｃｐを係止する係止面３２として、構成されている。なお、係止凹部３１は、底面３１ａを傾斜させているため、係止片部５１の板状部５３の左縁５３ｃ側を収納させた際、案内面５４の右縁５４ｂ側が、係止凹部３１より右方側にずれて、下壁部２０の外表面２０ｂから下方側に浮いた状態となる。
【００４４】
また、底側ケース部１６の下壁部２０には、図４，１０，１１に示すように、蓋側ケース部３６を外れ位置から係合開始位置ＳＰに配置させた際に、換言すれば、対応する相互の係合手段１１，１２，１３の係合直前における底側ケース部１６と蓋側ケース部３６とを合わせた際に、係止片部５１を収納する収納凹部３４が、設けられている。この収納凹部３４は、下壁部２０の外表面２０ｂ側において、端面２０ａから連なって直方体形状に凹んで、形成されている。そして、収納凹部３４に収納された係止片部５１の板状部５３は、案内面５４の右縁５４ｂを、収納凹部３４の内周面における右縁３４ａより、基板ケース１０の外側方向に、ずれて配置されるように、設定されている（図１１のＡ参照）。そのため、係止片部５１の板状部５３は、収納凹部３４に収納された状態から係止凹部３１に収納される係合完了位置ＲＰへ移動する際、基板ケース１０の内側方向の面における収納凹部３４の係止凹部３１側の縁（右縁）３４ａに、傾斜したテーパ面状の案内面５４を摺動させつつ、ヒンジ部５２を撓ませて収納凹部３４の右縁３４ａを乗り越えて、係止凹部３１に収納されることとなる。
【００４５】
なお、実施形態の場合、係止片部５１のヒンジ部５２は、上記の収納凹部３４から係止凹部３１へスライド移動させる際には、支障なく撓むものの、板状部５３を強制的に引き起こす際には、破断若しくは塑性変形するように、その厚さ寸法ｔが設定されている（図１２参照）。すなわち、ヒンジ部５２は、板状部５３における先端部５３ａ側の基板ケース１０の外側方向への強制的な引き起こし時において、係止片部５１における係止凹部３１の係止面３２に係止される部位（左側面）５３ｃｐを、係止面３２の係止領域から隙間ｓを開けて離脱させた際には、破断若しくは塑性変形するように、厚さ寸法ｔが設定されている（図１４参照）。
【００４６】
また、実施形態の場合、貼着エリアではないものの、底側ケース部１６と蓋側ケース部３６とにおける下壁部２０，４０に対して、対向壁部１７，３７を間にした対向する側壁部１８，３８の部位、すなわち、上壁部１９，３９にも、下壁部２０，４０側と上下対称形として、係止面３２を有した係止凹部３１、収納凹部３４、ヒンジ部５２や板状部５３を有した係止片部５１、及び、周縁部５６が、配設されている。
【００４７】
実施形態のパチンコ遊技機１では、基板ケース１０の底側ケース部１６の対向壁部１７上に制御基板８を配置させた後、蓋側ケース部３６を被せて、各係止ピン４４を対応する挿入溝２５の開口２５ａを経て、挿入溝２５内に挿入させるとともに、係止片部５１を収納凹部３４に収納して、蓋側ケース部３６を係合開始位置ＳＰに配置させる（図９，図１０のＡ，Ｂ、図１１のＡ、図１２のＡ参照）。ついで、図９、図１０のＢ，Ｃ、図１１のＡ〜Ｃに示すように、蓋側ケース部３６を、係合方向となる右方側にスライド移動させて、係合完了位置ＲＰに配置させれば、第１の係合手段１１の係止ピン４４が係止フック部２４に係止され、また、第２の係合手段１２の閂状突起４７が嵌挿孔２７の嵌挿され、さらに、第３の係合手段１３の凹凸部２９，４０相互が嵌合する。と同時に、図１２のＡ〜Ｃに示すように、ヒンジ部５２が撓みつつ、板状部５３が収納凹部３４を離脱し、板状部５３が係止凹部３１の配置位置に到達して、ヒンジ部５２が撓みをばね弾性的に復元させ、板状部５３が係止凹部３１に収納されることとなって、基板ケース１０を閉じることができる。
【００４８】
その後、かしめ機構部１４のロックピンをロックさせ、さらに、貼着エリア５９に封印シール６１を貼着させて、基板ケース１０を、取付軸５等を利用して、盤裏カバー３に取り付けることとなる。
【００４９】
そして、実施形態のパチンコ遊技機１では、制御基板８を収納して封印シール６１を貼着した基板ケース１０を、開ける際には、係止片部５１の板状部５３を基板ケース１０の外側方向である下方側に引き起こして、係止凹部３１の係止面３２から係止片部５１の係止部位である板状部５３の左側面５３ｃｐを離脱させ、そして、係合解除時のスライド方向の左方側に沿って、蓋側ケース部３６をスライド移動させることとなる。
【００５０】
その際、封印シール６１を剥さない状態としていれば、係止片部５１の板状部５３が、その左右両縁５３ｃ，５３ｄを、貼着エリア５９の領域内として、貼着エリア５９の相互に対向する縁５９ｃ，５９ｄ付近に配設させているため、図１３のＡ，Ｂに示すように、板状部５３の引き起こしに伴い、その板状部５３の両縁５３ｃ，５３ｄが、それぞれ、封印シール６１を破断することとなって、封印シール６１は、二箇所の部位で破断される。そのため、基板ケース１０を開けた後に閉じて、破断した封印シール６１を貼り直しても、破断された二箇所の部位を奇麗に貼り直すことは難しく、図１３のＣに示すように、破断の痕跡Ｍが現れて、封印シール６１の破断を発見し易い。
【００５１】
また、基板ケース１０を開ける際、予め封印シール６１を剥がし、係合解除方向に沿って、蓋側ケース部３６を移動させる場合でも、封印シール６１は、係合解除方向への移動時に板状部５３の両縁５３ｃ，５３ｄに引張られないように、例えば、図１５に示すように、剥がす側の角６１ａ，６１ｂ付近から、引き起こす係止片部５１の少なくとも板状部５３の全域のエリアを越えて、剥がす必要がある。その際、板状部５３は、貼着エリア５９の対向する両端部５９ａ，５９ｂ間で、かつ、貼着エリア５９における両端部５９ａ，５９ｂを結ぶ前後方向と直交する左右方向の両縁５９ｃ，５９ｄ間に、配設されており、貼着エリア５９における中央付近から略外周縁付近までの貼着エリア５９の広い面積を占めて、配設されている。
【００５２】
そのため、貼着エリア５９の半分程度を剥がすだけでは、基板ケース１０を開けることができず、剥がす側の角６１ａ，６１ｂ付近から従来の略半分の面積の越えた広い面積として、封印シール６１を剥がす必要があり、封印シール６１を破断させる機会が増えて、封印シール６１を二箇所以上で破断させる事態を招き易い。その結果、封印シール６１を予め剥がすこととしても、封印シール６１が二箇所以上で破断され、基板ケース１０を開けた後に閉じて、破断した封印シール６１を貼り直しても、破断された二箇所の部位を奇麗に貼り直すことは難しく、破断の痕跡Ｍが現れて、封印シール６１の破断を発見し易い。
【００５３】
したがって、実施形態のパチンコ遊技機１では、封印シール６１によって封印した基板ケース１０を開ける際に、封印シール６１が二箇所以上で破断され易く、その後に封印シール６１を貼り直しても、封印シール６１の破断の痕跡Ｍを容易に発見できることとなる。
【００５４】
そして、実施形態では、対応する係合手段１１，１２，１３の係合時、係止片部５１を、ヒンジ部５２を徐々に撓ませて、係止凹部３１の周囲の部位（外表面）２０ｂに摺動させつつ、係止凹部３１へ収納可能なテーパ面状の案内面５４が、係止片部５１に形成されている。そのため、相互の係合手段１１，１２，１３の係合時における係合開始位置ＳＰから係合完了位置ＲＰまで蓋側ケース部３６をスライド移動させる際、図１１，１２に示すように、係止片部５１が、案内面５４を利用して、ヒンジ部５２を回転中心として徐々に撓んで、係止凹部３１の周囲の外表面２０ｂを摺動し、そして、係止凹部３１の位置に配置されれば、ばね弾性的に復元するように、係止凹部３１に嵌め込まれる。すなわち、係止片部５１の係止凹部３１への嵌合が、相互の係合手段１１，１２，１３を係合させるように基板ケース１０を閉じる際に、別途、係止片部５１を治具等を使用して撓ませることなく、手間無く行え、係止片部５１や係止凹部３１を備えていても、簡便に、基板ケース１０を閉じることができる。なお、このような係止片部５１の撓みを円滑にさせる案内面は、テーパ面状でなく、弧面状でもよく、さらに、係止片部５１側でなく、係止凹部３１の周囲の部位（実施形態では、収納凹部３４の右縁３４ａ）に設けたり、あるいは、係止片部５１と係止凹部３１の周囲の部位との両方に設けてもよい。
【００５５】
また、実施形態では、封印シール６１の貼着エリア５９側の面６１ｃには、制御基板８に対応する識別情報を格納したＩＣチップ６６、及び、ＩＣチップ６６から両側に延びるアンテナ部６７，６８、を備えて構成されるＩＣタグ６５が貼着されている。このＩＣタグ６５は、封印シール６１を貼着エリア５９に貼着させた際における封印シール６１を貼着エリア５９に重ねた方向に沿う投影状態において、ＩＣチップ６６から両側に延びるアンテナ部６７，６８の各々の先端部６７ａ，６８ａ側を、それぞれ、板状部５３におけるヒンジ部５２から先端部５３ａまで部位の両縁５３ｃ，５３ｄの片側ずつと交差する位置に、配置させるように、封印シール６１に配設されている。そのため、封印した基板ケース１０を開ける際、封印シール６１を剥さない状態としていれば、係止片部５１の板状部５３を基板ケース１０の外側方向に引き起こす際、図１３に示すように、ＩＣチップ６６から両側に延びるアンテナ部６７，６８の各々の先端部６７ａ，６８ａ側が、それぞれ、係止片部５１の板状部５３の両縁５３ｃ，５３ｄの片側ずつと交差する位置に配置されており、アンテナ部６７，６８を一箇所ずつの計二箇所で分断させることができる。そして、ＩＣタグ６５のアンテナ部６７，６８が合計二箇所で分断されれば、開けた基板ケース１０を閉じて、剥がした封印シール６１を貼り直しても、分断された二箇所の部位が共に識別情報を発信可能に接触する事態を招く虞れは殆ど無い。その結果、封印シール６１を剥がして基板ケース１０を開けようとしても、ＩＣタグ６５は、識別情報を発信できるように復元することが殆ど不可能に分断されることとなり、その結果、ＩＣタグ６５の識別情報の発信不能状態から、基板ケース１０が不正に開けられたことを発見できる。
【００５６】
勿論、予め、ＩＣタグ６５を貼着した封印シール６１を剥がして、基板ケース１０を開けることとしても、図１５に示すように、剥がす側の角付近から従来の略半分の面積の越えた広い面積として、封印シール６１を剥がす必要があり、封印シール６１を破断させる機会が増え、さらに、二つのアンテナ部６７，６８を含んだエリアを例えば角６１ａや角６１ｂから剥がす必要が生じて、二つのアンテナ部６７，６８がそれぞれ分断される機会も増す。そのため、上記のような構成では、封印シール６１を予め剥がすこととなっても、封印シール６１を二箇所以上で破断させる事態を招いて、アンテナ部６７，６８を二箇所以上で分断させる事態を招き易い。そして、ＩＣタグ６５のアンテナ部６７，６８が二箇所以上で分断されれば、開けた基板ケース１０を閉じて、剥がした封印シール６１を貼り直しても、分断された二箇所以上の部位が全て識別情報を発信可能に接触する事態を招く虞れは殆ど無い。その結果、封印シール６１を剥がして基板ケース１０を開けようとしても、ＩＣタグ６５は、識別情報を発信できるように復元することが殆ど不可能となるように、分断されることとなって、基板ケース１０が不正に開けられたことを容易に発見できる。
【００５７】
そして、実施形態では、底側ケース部１６と蓋側ケース部３６とが、それぞれ、相互に略平行に対向するように配設される対向壁部１７，３７と、対向壁部１７，３７の周縁から相互に接近するように延びる側壁部１８，３８と、を備えた略箱形状として構成されて、対応する相互の係合手段１１，１２，１３の係合時と係合解除時における底側ケース部１６と蓋側ケース部３６との相対的な移動方向を、対向壁部１７，３８に略沿うスライド方向の左右方向としている。さらに、貼着エリア５９の係止片部５１と係止凹部３１とが、底側ケース部１６と蓋側ケース部３６との相互に対応する側壁部１８，３８におけるスライド方向と平行な部位となる下壁部２０，４０に、配設されている。すなわち、底側ケース部１６と蓋側ケース部３６とをスライド方向に沿って係合若しくは係合解除する場合では、強固な係合手段１２であるスライド方向に沿って突出する閂状突起４７と閂状突起４７を嵌挿させる嵌挿孔２７とを設けた閂構造が、基板ケース１０のスライド方向に沿った端部側、実施形態では右壁部２２，４２側、に配設されることとなる。そのため、係止片部５１、換言すれば、封印シール６１を貼着する貼着エリア５９、は、基板ケース１０におけるスライド方向に沿った右端部側の係合手段１２から離れて、側壁部３８における目視し易い下壁部４０の中央４０ｃｃ付近に、配置させることができ、封印シール６１の破断の痕跡Ｍを発見し易くなる。
【００５８】
この場合、実施形態では、係止片部５１が、板状部５３の両縁５３ｃ，５３ｄを、スライド方向と略直交させるように、配設されており、板状部５３の左右両縁５３ｃ，５３ｄによって封印シール６１が破断された際、図１３に示すように、その破断線ＳＬが、スライド方向と直交する方向で、離れて二本並設されることとなって、貼着エリア５９が、係止片部５１におけるヒンジ部５２から先端部５３ａに向かう延設方向に沿った長さ寸法Ｌ（図１０のＤ参照）を小さくしていても、容易に、封印シール６１の破断の痕跡Ｍを発見可能となる。
【００５９】
また、実施形態のパチンコ遊技機１では、封印シール６１を、係止片部５１の板状部５３の両縁５３ｃ，５３ｄを越えて、貼着させることから、封印シール６１の貼着エリア５９は、係止片部５１と、係止片部５１の周囲の周縁部５６と、を備えて構成されることとなり、その際、実施形態では、係止片部５１と周縁部５６との基板ケース１０の外側面側を、面一として、構成している。そのため、実施形態では、封印シール６１を、容易に皺を無くして面一の貼着エリア５９に貼着でき、破断個所があれば、その破断個所を一層容易に発見できることとなる。
【００６０】
特に、実施形態では、係止片部５１と周縁部５６とが、蓋側ケース部３６の下壁部４０に、一体的に形成されている。そのため、係止片部５１と周縁部５６との少なくとも一部相互が、底側ケース部１６と蓋側ケース部３６とに別々に形成されていれば、底側ケース部１６と蓋側ケース部３６との組付誤差により、係止片部５１と周縁部５６との基板ケース１０の外側面側の奇麗な面一状態を、確保し難い。これに対し、係止片部５１と周縁部５６とが、底側ケース部１６若しくは蓋側ケース部３６の一方に、実施形態では蓋側ケース部３６に、一体的に形成されていることから、底側ケース部１６と蓋側ケース部３６との組付誤差の影響が無く、段差を生じさせずに、係止片部５１と周縁部５６との基板ケース１０の外側面側の奇麗な面一状態を、確保し易く、一層容易に、封印シール６１を皺無く貼着できる。
【００６１】
また、実施形態では、係止片部５１のヒンジ部５２は、係止片部５１を収納させた収納凹部３４から係止凹部３１へスライド移動させる際には、支障なく撓むものの、板状部５３を強制的に引き起こす際には、破断若しくは塑性変形するように、その厚さ寸法ｔが設定されている。そのため、図１４に示すように、ヒンジ部５２は、板状部５３における先端部５３ａ側の基板ケース１０の外側方向への強制的な引き起こし時において、係止片部５１における係止凹部３１の係止面３２に係止される部位（左側面）５３ｃｐを、係止面３２の係止領域から隙間ｓを開けて離脱させた際には、破断若しくは塑性変形する。その結果、その後に剥がした封印シール６１を貼り直しても、ヒンジ部５２が、破断若しくは塑性変形して、強制的に引き起こす前の状態に復帰できず、板状部５３が出っ張ったり凹んだりする。そして、封印シール６１が出っ張る等の状態となることから、封印シール６１の外形によって、係止片部５１が引き起こされて基板ケース１０を不正に開けられたことを、容易に発見できる。
【００６２】
なお、このヒンジ部５２の破断や塑性変形は、板状部５３の基板ケース１０の外側方向への強制的な引き起こし時において、係止片部５１における係止凹部３１の係止面３２に係止される部位（左側面）５３ｃｐを、係止面３２の係止領域から隙間Ｓを開けて離脱させた際に、発生するように設定されるものである。そのため、基板ケース１０を閉じる際の組付作業時、すなわち、係止片部５１が、ヒンジ部５２を回転中心として撓みつつ、係止凹部３１の周囲（収納凹部３４の右縁）３４ａを乗り越えて係止凹部３１に嵌め込まれる際には、係止片部５１が、係止凹部３１の係止領域から隙間Ｓをあけて離脱せずに、係止凹部３１の周囲（下壁部２０の外表面２０ｂ）を摺動するため、ヒンジ部５２が破断したり塑性変形することを抑制できて、基板ケース１０を閉じる組付作業を、阻害する虞れはない。
【００６３】
さらに、実施形態では、係止凹部３１の周囲に、対応する相互の係合手段１１，１２，１３の係合直前における係合開始位置ＳＰに底側ケース部１６と蓋側ケース部３６とを合わせた際に、係止片部５１を収納可能な収納凹部３４が設けられている。また、係止片部５１には、収納凹部３４に収納された際の基板ケース１０の内側方向の面における係止凹部３１側の右縁５４ｂ側から左縁５４ａ側にかけて、ヒンジ部５２を撓ませて収納凹部３４の周縁における右縁３４ａを乗り越え可能なテーパ面状に傾斜した案内面５４が、設けられている。そのため、制御基板８を収納して基板ケース１０を閉じる際、収納凹部３４に係止片部５１を収納させるように、対応する相互の係合手段１１，１２，１３の係合直前における底側ケース部１６と蓋側ケース部３６とを合わせても、係止片部５１を、変形させることなく、円滑に収納凹部３４に収納でき、そしてその後、単に、相互の係合手段１１，１２，１３を係合させるように、係合時のスライド方向に沿って蓋側ケース部３６を移動させれば、図１２に示すように、係止片部５１が、案内面５４を利用して、ヒンジ部５２を回転中心として徐々に撓んで、収納凹部３４を乗り越えて係止凹部３１の周囲（外表面）２０ｂを摺動し、そして、係止凹部３１の位置に配置されれば、ばね弾性的に復元するように、係止凹部３１に嵌め込まれることとなる。すなわち、このような構成では、底側ケース部１６と蓋側ケース部３６とをスライド方向に沿って係合させる際に、基板ケース１０が係止片部５１と係止凹部３１とを備えていても、基板ケース１０を、外れた状態から円滑に閉じることができる。勿論、既述したように、係止片部５１の撓みを案内する案内面は、テーパ面状若しくは弧面状として、収納凹部３４の右縁３４ａに設けたり、係止片部５１と右縁３４ａとの両方に設けてもよい。
【００６４】
さらにまた、実施形態では、底側ケース部１６と蓋側ケース部３６とに設けられる係止片部５１と係止凹部３１とが、底側ケース部１６と蓋側ケース部３６とのそれぞれの対向壁部１７，３７を間にした側壁部１８，３８の対向する下壁部２０，４０相互と上壁部１９，３９相互との二箇所に、形成されている。そのため、実施形態では、二箇所の係止片部５１，５１を引き起こさなければ、基板ケース１０を開けることができず、係止片部５１やその近傍に、引き起こし時の痕跡が残り易く、そのような痕跡によって、係止片部５１，５１が引き起こされて基板ケース１０を不正に開けられたことを、一層、容易に発見できる。
【００６５】
なお、実施形態では、上壁部１９の係止片部５１付近に、封印シール６１を貼着させていないが、勿論、この上壁部１９に設ける係止片部５１側にも、ＩＣタグ６５を設けた封印シール６１、あるいは、ＩＣタグ６５を設けない封印シール６１を貼着させてもよい。
【００６６】
また、実施形態では、対応する相互の係合手段１１，１２，１３の係合時における底側ケース部１６と蓋側ケース部３６との相対的な移動方向を、底側ケース部１６と蓋側ケース部３６との対向壁部１７，３７に略沿うスライド方向の左右方向として、構成した。しかし、図１６に示す基板ケース１０Ａのように、相互の係合手段を対応させて、係合時における底側ケース部１６Ａと蓋側ケース部３６Ａとの相対的な移動方向を、底側ケース部１６Ａと蓋側ケース部３６Ａとの対向壁部１７，３７と略直交する方向（底側ケース部１６Ａと蓋側ケース部３６Ａとの重ね方向とする）としてもよい。この場合、蓋側ケース部３６Ａに設けた係止片部５１Ａは、対向壁部３７側のヒンジ部５２から板状部５３を延ばし、先端部５３ａの内側面側に鉤状の係止爪５３ｅを設けて構成され、底側ケース部１６Ａには、係止爪５３ｅを係止する係止面３２を有して、係止爪５３ｅを収納可能な係止凹部３１Ａが、形成されている。この係止片部５１Ａでは、蓋側ケース部３６Ａ側を重ね方向に沿って底側ケース部１６Ａ側に押し付ければ、所定の係合手段相互が係合されて、基板ケース１０Ａが閉じられるとともに、係止片部５１Ａの係止爪５３ｅが係止凹部３１Ａに収納されて係止面３２に係止されることとなる。この基板ケース１０Ａを開ける際には、封印シール６１を貼着させた貼着エリア５９内に両縁５３ｃ，５３ｄを設けた係止片部５１Ａを引き起こす必要があることから、実施形態と同様な作用効果を得ることができる。そして、この場合には、実施形態のように、係止片部５１と係止凹部３１とを設けた側壁部１８，３８の対応する部位（下壁部２０，４０）相互が、大きくスライド方向に沿って摺動する場合と相違して、係止片部５１Ａを、蓋側ケース部３６Ａを底側ケース部１６Ａに重ねる重ね方向に沿って移動させて、係止凹部３１Ａに挿入させる構成であり、係止片部５１Ａを、側壁部３８の周方向に沿った任意の位置に設けることができる。
【００６７】
なお、この基板ケース１０Ａでは、係止片部５１Ａを係止凹部３１Ａに収納させる際、係止爪５３ｅの内側面側に、テーパ面状の案内面５４を設けており、係止片部５１Ａは、蓋側ケース部３６Ａを底側ケース部１６Ａに重ねる重ね方向に沿って移動させる際、案内面５４を下壁部２０Ａの縁２０ｃに当てて、ヒンジ部５２を徐々に撓ませ、外表面２０ｂに摺動しつつ、円滑に、係止凹部３１Ａに収納されることとなる。そして、係止片部５１Ａのヒンジ部５２を円滑に撓ませるようなテーパ面状や弧面状の案内面は、縁２０ｃ側に設けてもよい。
【００６８】
また、実施形態では、係止片部５１のヒンジ部５２から板状部５３の先端部５３ａまで延びる方向を、スライド方向と直交する方向としたが、図１７，１８に示す基板ケース１０Ｂのように、係止片部５１Ｂのヒンジ部５２から板状部５３の先端部５３ａまで延びる方向を、係合時のスライド方向に沿う右方側として、構成してもよい。この基板ケース１０Ｂでは、蓋側ケース部３６Ｂに設けた係止片部５１Ｂが、ヒンジ部５２から延ばした板状部５３の先端部５３ａの内側面側に、鉤状の係止爪５３ｅを設けて構成され、底側ケース部１６Ｂには、係止爪５３ｅを係止する係止面３２を有して、係止爪５３ｅを収納可能な係止凹部３１Ｂが、形成されている。また、基板ケース１０Ｂは、図示しないが、実施形態と同じ係合手段１１，１２，１３を備えて構成されている。そして、この係止片部５１Ｂでは、蓋側ケース部３６Ｂを、係合開始位置ＳＰに配置させ、スライド方向に沿って右方向に移動させて、係合完了位置ＲＰに移動させれば、基板ケース１０Ｂが閉じられるとともに、係止片部５１Ｂの係止爪５３ｅが係止凹部３１Ｂに収納されて係止面３２に係止されることとなる。この基板ケース１０Ｂを開ける際には、封印シール６１を貼着させた貼着エリア５９Ｂ内に両縁５３ｃ，５３ｄを設けた係止片部５１Ｂを引き起こす必要があることから、実施形態と同様な作用効果を得ることができる。
【００６９】
なお、この基板ケース１０Ｂでは、蓋側ケース部３６Ｂを係合開始位置ＳＰに配置させる際に係止片部５１Ｂを収納する収納凹部３４を備えて構成され、係止片部５１Ｂの係止爪５３ｅの内側面と収納凹部３４の右縁３４ａとにテーパ面状の案内面５４，３５を備えており、係合開始位置ＳＰから係合完了位置ＲＰまで、蓋側ケース部３６Ｂをスライド移動させる際、係止片部５１Ｂが、案内面５４，３５相互を当接させて、ヒンジ部５２を徐々に撓ませつつ、外表面２０ｂを摺動させて、円滑に、係止凹部３１Ｂに収納されることとなる。
【００７０】
さらに、図１７，１８に示す基板ケース１０Ｂでは、貼着エリア５９Ｂにおける係止片部５１Ｂの周囲の周縁部５６Ｂが、係止片部５１Ｂを設けた蓋側ケース部３６Ｂ側でなく、底側ケース部１６Ｂの側壁部１８の下壁部２０に配置されて、係合完了時に、係止片部５１Ｂと面一となるように、設定されている。そして、この係止片部５１Ｂと周縁部５６Ｂとの間の隙間ｅが、極力小さくなるように、設定されている。このように、係止片部５１Ｂとその周囲の周縁部５６Ｂとの間の隙間ｅが狭ければ、係止片部５１Ｂを引き起こす際、引き起こす治具を、入れ難く、無理に入れれば、その痕跡が残り易く、基板ケース１０Ｂを不正に開けたことをより発見し易くなる。このような係止片部と周縁部との間の隙間を狭くする構成は、実施形態の基板ケース１０に適用してもよい。
【００７１】
なお、係止片部５１Ｂをさらに引き起こし難くする構成として、図１９に示すように、係止片部５１Ｂの先端面や側面（図例の場合には先端面５３ｆ）に、周縁部５６Ｂ側の嵌合凹部５６ｅに嵌合する嵌合突起５３ｇを設けて、係止片部５３Ｂの引き起こし時に、嵌合突起５３ｇが嵌合凹部５６ｅに引っ掛かって、引き起こし難くしてもよい。
【００７２】
また、係止片部５１の引き起こしに手間がかかる構成として、図２０のように、係合完了位置ＲＰの係止片部５１と、係止片部５１と重なった係止凹部３１側の部位（下壁部）２０と、の相互を締結するように、ビス等のねじ手段Ｂを設けて、係止片部５１の引き起こし前に、ねじ手段Ｂを緩める手間を設けるようにしてもよい。なお、このねじ手段Ｂとしては、取り外し時の頭部ＢＨにおけるドライバー等の治具を挿入させる治具用穴ＢＪを、マイナス、あるいは、ブラス等の汎用な形状とせずに、特殊な星型やＹ字状の開口として形成すれば、一層、無理にねじ手段Ｂを取り外す事態を招いて、その痕跡が残り易く、基板ケース１０を不正に開けたことをより発見し易くなる。
【００７３】
さらに、既述の基板ケース１０，１０Ａ，１０Ｂでは、係合時において、底側ケース部１６，１６Ａ，１６Ｂに対して蓋側ケース部３６，３６Ａ，３６Ｂを移動させる構成として説明したが、勿論、底側ケース部１６，１６Ａ，１６Ｂと蓋側ケース部３６，３６Ａ，３６Ｂとは相対的に移動すればよく、係合時に、蓋側ケース部３６，３６Ａ，３６Ｂに対して底側ケース部１６，１６Ａ，１６Ｂを移動させてもよい。
【００７４】
さらにまた、既述の基板ケース１０，１０Ａ，１０Ｂでは、底側ケース部１６，１６Ａ，１６Ｂ側に、係止凹部３１，３１Ａ，３１Ｂを設けて、蓋側ケース部３６，３６Ａ，３６Ｂ側に、係止片部５１，５１Ａ，５１Ｂを設けたが、逆の構成としてもよい。
【００７５】
また、実施形態では、パチンコ遊技機１の制御基板８を覆う基板ケース１０について説明したが、本発明は、スロットマシン等の遊技機の制御基板を覆う基板ケースに適用してもよい。
【００７６】
さらに、実施形態では、封印シール６１にＩＣタグ６５を設けた場合を示したが、本発明は、ＩＣタグ６５が設けられていない封印シール６１を、貼着エリア５９に設ける基板ケースに適用してもよい。
【図面の簡単な説明】
【００７７】
【図１】本発明の実施形態のパチンコ遊技機の背面側を示す概略図である。
【図２】実施形態に使用する制御基板を収納した基板ケースを示す概略斜視図である。
【図３】実施形態の基板ケースを示す概略斜視図である。
【図４】実施形態の基板ケースの概略分解斜視図である。
【図５】実施形態で使用する封印シールの正面図である。
【図６】実施形態で使用する封印シールの背面図である。
【図７】実施形態の基板ケースの端面図であり、図３のVII−VII部位に対応する。
【図８】実施形態の基板ケースの端面図であり、図３のVIII−VIII部位に対応する。
【図９】実施形態の基板ケースの端面図であり、図３のIX−IX部位に対応する。
【図１０】実施形態の基板ケースの第１の係合手段の係合時を順に示す概略正面図である。
【図１１】実施形態の基板ケースの係止片部が係止凹部に収納される状態を順に示す概略横断面図である。
【図１２】実施形態の基板ケースの係止片部が係止凹部に収納される際の係止片部の撓み状態を順に示す概略縦断面図である。
【図１３】実施形態における封印シールを貼着した状態で係止片部を引き起こす状態を説明する図である。
【図１４】実施形態における封印シールを貼着した状態で係止片部を無理に大きく引き起こす状態を説明する概略縦断面図である。
【図１５】実施形態における封印シールを剥がす状態を示す説明図である。
【図１６】実施形態の変形例の基板ケースにおける係止片部を係止凹部に収納する状態を説明する概略正面図であり、縦断面図を併せて図示したものである。
【図１７】実施形態の他の変形例の基板ケースにおける係止片部を係止凹部に収納する状態を説明する概略正面図である。
【図１８】図１７に示す基板ケースの係止片部を係止凹部に収納する状態を説明する概略横断面図である。
【図１９】実施形態の他の変形例の基板ケースにおける係止片部を係止凹部に収納する状態を説明する概略横断面図である。
【図２０】実施形態のさらに他の変形例を示す係止片部付近の正面図である。
【符号の説明】
【００７８】
１…（パチンコ）遊技機、
８…制御基板、
１０，１０Ａ，１０Ｂ…基板ケース、
１１，１２，１３…係合手段、
１６，１６Ａ，１６Ｂ…底側ケース部、
１７，３７…対向壁部、
１８，３８…側壁部、
３１，３１Ａ，３１Ｂ…係止凹部、
３２…係止面、
３４…収納凹部、
３４ａ…（周縁）右縁、
３６…蓋側ケース部、
５１，５１Ａ，５１Ｂ…係止片部、
５２…ヒンジ部、
５３…板状部、
５４…案内面、
５６…周縁部、
５９，５９Ｂ…貼着エリア、
６１…封印シール、
６５…ＩＣタグ、
６６…ＩＣチップ、
６７，６８…アンテナ部。
【図１】
2010131330.tif 000003
【図２】
2010131330.tif 000004
【図３】
2010131330.tif 000005
【図４】
2010131330.tif 000006
【図５】
2010131330.tif 000007
【図６】
2010131330.tif 000008
【図７】
2010131330.tif 000009
【図８】
2010131330.tif 000010
【図９】
2010131330.tif 000011
【図１０】
2010131330.tif 000012
【図１１】
2010131330.tif 000013
【図１２】
2010131330.tif 000014
【図１３】
2010131330.tif 000015
【図１４】
2010131330.tif 000016
【図１５】
2010131330.tif 000017
【図１６】
2010131330.tif 000018
【図１７】
2010131330.tif 000019
【図１８】
2010131330.tif 000020
【図１９】
2010131330.tif 000021
【図２０】
2010131330.tif 000022